(57)【要約】      （修正有）【課題】高い位置と低い位置との調整を容易に実現することができ、ベビーベッドの使用にも多様な機能を有し、より便利な吊り床装置及び該装置を有するベビーベッドを提供する。【解決手段】ベビーベッドの外枠に取り付けることに適し、吊り床セット２を備える吊り床装置１Ａであって、吊り床装置１Ａはさらにつり帯３及び固定部材４を備え、つり帯３の一端は吊り床セット２に接続され、つり帯３の他端は固定部材４に接続され、吊り床セット２を固定部材４と分離可能に外枠に固定することにより、吊り床セット２が外枠１に吊り下げられる第一の使用位置を有する吊り床装置１Ａ。【選択図】図１
0003180197.tif 000002
【実用新案登録請求の範囲】
【請求項１】
ベビーベッドの外枠に取り付けることに適し、吊り床セットを備える吊り床装置であって、前記吊り床装置はさらにつり帯及び固定部材を備え、前記つり帯の一端は前記吊り床セットに接続され、前記つり帯の他端は前記固定部材に接続され、前記吊り床セットを前記固定部材と分離可能に前記外枠に固定することにより、前記吊り床セットが前記外枠に吊り下げられる第一の使用位置を有する、ことを特徴とする吊り床装置。
【請求項２】
前記外枠は支持フレームをさらに備え、前記支持フレームは前記吊り床セットの下方に位置し、前記吊り床セットを前記支持フレームに配置できる第二の使用位置を有する、ことを特徴とする請求項１記載の吊り床装置。
【請求項３】
前記吊り床セットは床板と、２つの第一の側板と、２つの第二の側板と、を備え、前記２つの第一の側板及び２つの第二の側板は前記床板の四つの側部に取り付けられ、且つ前記２つの第一の側板はそれぞれ前記床板の左右両側に着脱可能に取り付けられる、ことを特徴とする請求項２記載の吊り床装置。
【請求項４】
前記２つの第二の側板は、それぞれ前記床板の前後両側に折り畳み可能に取り付けられる、ことを特徴とする請求項３記載の吊り床装置。
【請求項５】
前記外枠の上部の四つの隅にそれぞれ角部を有し、前記固定部材は前記角部に着脱可能に係合する、ことを特徴とする請求項１記載の吊り床装置。
【請求項６】
前記角部にはそれぞれ係合孔が設けられ、前記固定部材の一端には前記つり帯が貫通可能な貫通孔が設けられ、前記固定部材の他端には前記係合孔と対応する係合部が設けられ、前記係合部と前記係合孔との係合により前記固定部材と前記角部とを結合する、ことを特徴とする請求項５記載の吊り床装置。
【請求項７】
前記支持フレームはベース及び複数の支持管を備え、前記ベースは前記支持フレームの中央に位置し、前記複数の支持管は前記ベースに放射状に取り付けられる、ことを特徴とする請求項２記載の吊り床装置。
【請求項８】
前記つり帯は弾性を有する、ことを特徴とする請求項１記載の吊り床装置。
【請求項９】
外枠を備えるベビーベッドであって、さらに請求項１から８のいずれかに記載される吊り床装置を備える、ことを特徴とするベビーベッド。
【考案の詳細な説明】
【技術分野】
【０００１】
本考案はベビーベッドの技術領域に関し、特に吊り床装置及び該装置を有するベビーベッドに関する。
【背景技術】
【０００２】
一般にベビーベッドの構造は、主に外枠及びシートを備え、外枠はベビーベッド全体を支持するために用いられ、シートは外枠に設けられて保護する機能を有し、さらに乳幼児に対して居心地のよい睡眠又は活動空間を提供する。そして、外枠は主に金属管部材と金属管部材の接続に用いられるプラスチック部材とから構成され、シートは一般に布生地から製造され、消費者のベビーベッドに対する多様な機能の要求を満足させるために、ベビーベッドにさらに多くの追加部品、例えば吊り床装置が追加される。
【０００３】
従来のベビーベッドの吊り床装置は、係合具で外枠に直接的に係合されることが多く、このような吊り床セットの高さは一定で且つ調整不可能であり、また、一般にこのような吊り床装置は包装、搬送又は着脱しにくく、收納にも不便である。
【考案の概要】
【考案が解決しようとする課題】
【０００４】
本考案は、上記の従来技術の問題点に鑑み、その目的として、吊り床セットを異なる使用位置に調整することを実現することができ、ベビーベッドの使用にも多様な機能を有し、より便利になる吊り床装置を提供することにある。
【０００５】
本考案の他の目的として、該吊り床装置を有するベビーベッドを提供することにある。
【課題を解決するための手段】
【０００６】
上記の目的を実現するために、本考案にかかる吊り床装置は、ベビーベッドの外枠に取り付けることに適し、吊り床セットを備える吊り床装置であって、前記吊り床装置はさらにつり帯及び固定部材を備え、前記つり帯の一端は前記吊り床セットに接続され、前記つり帯の他端は前記固定部材に接続され、前記吊り床セットを前記固定部材と分離可能に前記外枠に固定することにより、前記吊り床セットが前記外枠に吊り下げられる第一の使用位置を有する。
【０００７】
前記外枠は支持フレームをさらに備え、前記支持フレームは前記吊り床セットの下方に位置し、前記吊り床セットが前記支持フレームに配置される第二の使用位置を有することが望ましい。
【０００８】
さらに、前記吊り床セットは床板と、２つの第一の側板と、２つの第二の側板と、を備え、前記２つの第一の側板及び２つの第二の側板は前記床板の四つの側部に取り付けられ、且つ前記２つの第一の側板はそれぞれ前記床板の左右両側に着脱可能に取り付けられることが望ましい。
【０００９】
さらに、前記２つの第二の側板はそれぞれ前記床板の前後両側に折り畳み可能に取り付けられることが望ましい。
【００１０】
さらに、前記外枠の上部の四つの隅にそれぞれ角部を有し、前記固定部材は前記角部に着脱可能に係合することが望ましい。
【００１１】
さらに、前記角部にはそれぞれ係合孔が設けられ、前記固定部材の一端には前記つり帯が貫通可能な貫通孔が設けられ、前記固定部材の他端には前記係合孔と対応する係合部が設けられ、前記係合部と前記係合孔との係合により前記固定部材と前記角部とを結合することが望ましい。
【００１２】
さらに、前記支持フレームはベース及び複数の支持管を備え、前記ベースは前記支持フレームの中央に位置し、前記複数の支持管は前記ベースに放射状に取り付けられることが望ましい。
【００１３】
さらに、前記つり帯は弾性を有することが望ましい。
【００１４】
上記の他の目的を実現するために、本考案にかかるベビーベッドは、外枠を備えるベビーベッドであって、さらに上記の吊り床装置を備える。
【００１５】
従来技術と対比すると、本考案の吊り床装置は、吊り床セットを備え、吊り床装置はさらにつり帯及び固定部材を備え、つり帯の一端は吊り床セットに接続され、つり帯の他端は固定部材に接続され、前記吊り床セットを前記固定部材と分離可能に前記外枠に固定することにより、前記吊り床セットが前記外枠に吊り下げられる第一の使用位置を有する。使用者は吊り床セットを高い位置に配置する必要がある場合、本考案は固定部材により外枠の角部に接続され、吊り床セットをつり帯を介して外枠の高い位置である第一の使用位置に吊り下げられることができ、使用者は吊り床セットを低い位置に配置する必要がある場合、固定部材を外枠から外すだけで、吊り床セットを支持フレームに配置して外枠の低い位置である第二の使用位置に配置すれば、吊り床セットの高さの調整を実現することができる。そのため、本考案の吊り床装置は容易に高い位置と低い位置との調整を実現することができ、ベビーベッドの使用において多様な機能を有し、より便利になることができる。
【図面の簡単な説明】
【００１６】
【図１】本考案の吊り床セットが高い位置にある構造の模式図である。
【図２】本考案の吊り床セットが低い位置にある構造の模式図である。
【図３】本考案の角部の構造の模式図である。
【図４】本考案の固定部材の構造の模式図である。
【図５】本考案の角部と固定部材との断面図である。
【考案を実施するための形態】
【００１７】
以下、図面を参照しつつ、本考案の実施の形態について説明する。以下の説明では、類似の部品について類似の符号を付してある。
【００１８】
図１〜図５に示すように、本考案のベビーベッドは、外枠１を備え、さらに吊り床装置１Ａを備え、吊り床装置１Ａは外枠１に取り付けられる。外枠１は角部１２と、手すり１４と、縦柱１６と、支持フレーム５と、を備える。本実施例では、前記外枠１は矩形に形成され、四つの角部１２はそれぞれ外枠１の頂端の四隅に取り付けられ、手すり１４は横向きに各角部１２に接続され、各縦柱１６は垂直的に角部１２に接続されると共に下へ延伸する。吊り床装置１Ａは、吊り床セット２と、つり帯３と、固定部材４と、を備え、つり帯３の一端には吊り床セット２が固定接続され、つり帯３の他端には固定部材４が固定接続され、つり帯３は固定部材４を介して外枠１に係合されることにより、吊り床セット２はつり帯３を介して外枠１の第一の使用位置である高い位置に吊り下げられることができる。支持フレーム５は、吊り床セット２の下方に位置すると共に各縦柱１６に接続され、吊り床セット２は支持フレーム５の上に載置することにより第二の使用位置である低い位置に配置されることができるベビーベッドを提供する。
【００１９】
さらに、吊り床セット２は、床板２１と、２つの第一の側板２２と、２つの第二の側板２３と、を備え、２つの第一の側板２２及び２つの第二の側板２３はそれぞれ相対的に床板２１の四つの側部に取り付けられ、且つ２つの第一の側板２２はそれぞれ床板２１の左右両側に着脱可能に取り付けられることが望ましい。ベビーベッドを包装して搬送する必要があると、床板２１の左右両側の第一の側板２２を外すことにより、ベビーベッドの包装と搬送に便利になり、スペースを取らない。
【００２０】
さらに、２つの第二の側板２３はそれぞれ床板２１の前後両側に折り畳み可能に取り付けられることが望ましい。ベビーベッドを包装して搬送する必要があると、床板２１の前後両側の第二の側板２３も折り畳むことができ、ベビーベッドの包装と搬送により便利になる。
【００２１】
さらに、外枠１は角部１２を有し、固定部材４は角部１２に着脱可能に係合される。具体的に、角部１２には係合孔１２１が設けられ、固定部材４の一端にはつり帯３が貫通可能な貫通孔４１が設けられることが望ましい。固定部材４の他端には係合孔１２１と対応する係合部４２が設けられ、係合部４２と係合孔１２１との係合により、固定部材４と角部１２とを結合する。より具体的に、吊り床セット２の周辺にはシート（図示されず）が設けられ、つり帯３は貫通孔４１を貫通した後、つり帯３の両自由端をシートに縫着して固定することにより、吊り床セット２がつり帯３の一端と接続される。但し、本実施例はこれに限るものではなく、つり帯３を直接的に第一の側板２２又は第二の側板２３に固定することもできる。
【００２２】
さらに、支持フレーム５は、ベース５１と複数の支持管５２とを備え、ベース５１は支持フレーム５の中央に位置し、外枠１を折り畳む機能を有し、複数の支持管５２はベース５１に放射状に取り付けられると共に一部は縦柱１６に接続されることが望ましい。この構造により矩形の吊り床セット２を確実に第二の使用位置に支持することができる。
【００２３】
本考案の吊り床装置１Ａを使用する時に、使用者は吊り床セット２を高い位置に配置する必要がある場合、吊り床装置１Ａは固定部材４を介して外枠１に係合し、即ち固定部材４の係合部４２を角部１２の係合孔１２１に挿入し、固定部材４を角部１２に係合することにより、吊り床セット２はつり帯３を介して外枠１の高い位置である第一の使用位置に吊り下げられれば、子供が横たわる（例えば睡眠時）ことができる。つり帯３により、吊り床セット２がわずかに揺れる機能を有することにより、子供を鎮め又は子供の眠りを促進する。さらに、つり帯３が弾性を有し、吊り床セット２にわずかに上下動する機能があれば、同じく子供を鎮め又は子供の眠りを促進する効果を有する。
【００２４】
使用者は吊り床セット２を低い位置に配置する必要がある場合、固定部材４を外枠１から外すだけで、即ち固定部材４の係合部４２を角部１２の係合孔１２１から引き抜き、固定部材４と角部１２とを離すと共に、吊り床セット２を支持フレーム５に載置すれば、吊り床セット２を低い位置である第二の使用位置に配置することができ、子供が立ち上がること又は座ることに適する。外枠１の周辺にシート（図示されず）が設けられているので、子供がベビーベッドの外へ落下する又は出ることを心配する必要がない。以上を総合して、本考案の吊り床装置１Ａは、容易に高い位置と低い位置との２つの使用位置の調整を実現することができ、ベビーベッドの使用についてより便利になる。
【００２５】
以上、本考案の１つの実施形態について説明したが、本考案は上記実施形態に限定して解釈されるべきではなく、適宜変更・さまざまな組み合わせが可能であることは勿論である。
【符号の説明】
【００２６】
１  外枠
１Ａ  吊り床装置
２  吊り床セット
３  つり帯
４  固定部材
５  支持フレーム
１２  角部
１４  手すり
１６  縦柱
２１  床板
２２  第一の側板
２３  第二の側板
４１  貫通孔
４２  係合部
５１  ベース
５２  支持管
１２１  係合孔
【図１】
0003180197.tif 000003
【図２】
0003180197.tif 000004
【図３】
0003180197.tif 000005
【図４】
0003180197.tif 000006
【図５】
0003180197.tif 000007